(57)【要約】【課題】  容易に開けることができると共に注ぎ口を損傷なく開封できる紙パック容器を提供する。【解決手段】正四角筒状の容器本体の四辺上端部のうち相対向する第１の二辺１１，１１を内方へそれぞれく字形に折り込むと共に、残りの相対向する第２の二辺１２，１２をそれぞれ内方へ屋根型に折り曲げて上部開口部２０を形成し、前記第１および第２の各辺の上端部内面を相互に接着した封止部１３を設け、前記上部開口部における第２の二辺の上端部１２ａ，１２ａを延長して補強辺１２ｃ，１２ｃを設け、この補強辺１２ｃ，１２ｃを外側に折り返して前記封止部１３に重ねて接着し、封止部１３と補強辺１２ｃ，１２ｃが二重になるように強化する。  封止部１３の横方向中央位置に縦に折り曲げ罫線を施すとともに、補強辺１２ｃ，１２ｃの横方向中央位置に縦に折り曲げ罫線１２ｅ，１２ｅを施す。【選択図】図１
2017019558.tif 000002
【特許請求の範囲】
【請求項１】
正四角筒状の容器本体の四辺上端部のうち相対向する第１の二辺を内方へそれぞれく字形に折り込むとともに、残りの相対向する第２の二辺をそれぞれ内方へ屋根形に折り曲げて上部開口部を形成し、前記第１および第２の各辺の上端部内面を相互に接着した封止部を設けてなる紙パック容器において、
前記上部開口部における第２の二辺の上端部を延長して補強辺を設け、この補強辺を外側に折り返して前記封止部に重ねて接着し、封止部と補強辺が二重になるように強化したことを特徴とする紙パック容器。
【請求項２】
正四角筒状の容器本体の四辺上端部のうち相対向する第１の二辺を内方へそれぞれく字形に折り込むとともに、残りの相対向する第２の二辺をそれぞれ内方へ屋根形に折り曲げて上部開口部を形成し、上記第１および第２の各辺の上端部内面を相互に接着した封止部を設けてなる紙パック容器において、
該紙パック容器と同じ材質の紙材で前記封止部とほぼ同じ大きさの補強辺を、封止部の外側に重ねて接着し、封止部と補強辺が二重になるように強化したことを特徴とする紙パック容器。
【請求項３】
前記封止部の横方向中央位置に縦に折り曲げ罫線を施すとともに、前記補強部の横方向中央位置に縦に折り曲げ罫線を施したことを特徴とする、請求項１又は請求項２に記載の紙パック容器。
【発明の詳細な説明】
【技術分野】
【０００１】  本発明は、牛乳、ジュースなどの飲料を収容する屋根型紙パック容器の開封（注ぎ口の開口）を容易にする構造に関するものである。
【背景技術】
【０００２】  近年、牛乳・ジュース・お茶などの液体飲料は、屋根型紙パック容器に封入されて販売されている。これは屋根型紙パック容器が、軽く取り扱いが容易であること、安価であること、再生が容易であることなどの理由による。【０００３】  現在市販されている牛乳・ジュース・お茶などの液体飲料の屋根型紙パックは、内容量１０００ｍｌのものにあっては、胴体部が一辺が約７０ｍｍの四辺と高さが約１９５ｍｍからなる角筒状で、その上部に高さ約２５ｍｍの三角屋根状の屋根部が形成され、その屋根部の三角屋根の上部（棟）から垂直に約１５ｍｍ程度の高さのあけ口部が形成されている。屋根部は、正面から見て左右の側面部が三角屋根の左右の斜面部を形成し、正面部と背面部が左右の斜面部に折り込まれており、あけ口部は、正面部と背面部の上端部が、左右の側面部の上端部の内側に挟み込まれるようにくの字型に折り込まれ、熱融着されている。【０００４】  一般に市販されている屋根型紙パック容器入りの牛乳などの場合、屋根型紙パック容器の正面部には、注ぎ口の先端を指し示す矢印と「注ぎ口」の文字が印刷されており、あけ口部の正面側の端部の外表面には「あけぐち」の文字と正面側を指し示す矢印と図４Ａ〜Ｃのような「注ぎ口の開封方法」を説明する図が印刷されていることが多い。
屋根型紙パックを開封するときは、図４Ａに示すように正面側の左右の斜面部を指で開いて、次に図４Ｂに示すように左右に完全に押し広げたら、図４Ｃに示すように人差し指と親指で注ぎ口の両端を挟んで、これを手前に引き出して、注ぎ口を開封するようになっている。
このとき、図４Ｂの状態までは容易に到達できるが、図４Ｃに示すように人差し指と親指で注ぎ口の両端を挟んで、注ぎ口を手前に引き出すときに、注ぎ口がきれいに開かず、注ぎ口の上端部が折れ曲がったり、裂けてしまったりすることがあった。
その原因として、この種の一般的な紙パック容器では、紙の材質としてバージンパルプを使用し、約５００ミクロンの厚さに形成し、その内面と外面に防水性を施すためにポリエチレンの薄膜を融着していることから、約５００ミクロンの厚さでは注ぎ口の開封のときに紙の強度が不足し、指で開こうとする力に負けて折れ曲がったり破れたりするものと考えられる。【０００５】  図４Ｃに示した注ぎ口を手前に引き出すときに、注ぎ口がきれいに開かず、注ぎ口の上端部が折れ曲がったり、裂けてしまったりするような欠点を解消するために、従来より紙パック容器の注ぎ口の構造の改良に関する種々の提案がされている。
例えば、特開２００２−２６４９３７号公報（特許文献１）では、紙パック容器の開口部（注ぎ口）上端の内方に折り込んだ辺に半円状の舌片を設け、その舌片を指で把持して外方向へ引っ張ることで、注ぎ口を容易に開口するようにしている。
また、特開２００３−１１２７２７号公報（特許文献２）では、紙パック容器の注ぎ口のフタに、指でつまめる凸形状の耳を設け、その耳を指でつまんで注ぎ口を外方向に引っ張ることで、注ぎ口を容易に開口するようにしている。
また、特開２００２−３２６６２６号公報（特許文献３）では、紙パック容器の開口部（注ぎ口）にフックを設け、そのフックに指かけ穴を設けて、その指かけ穴に指をかけて注ぎ口を外方向に引っ張ることで、注ぎ口を容易に開口するようにしている。
しかし、紙パック容器に前記の舌片や凸形状の耳、指かけ穴付きフックなどを形成すると、それらの舌片等が紙パック容器から上方に突出して開封しないときは邪魔になり、外観的にも好ましくない。しかも、注ぎ口を開封するために、突出した舌片等を２本又は３本の指で挟んで引っ張ったり、指かけ穴に指をかけて引っ張る必要があり、引っ張り方によっては舌片等が千切れたりすることがあった。
また、特開平１１−７０９３５号公報（特許文献４）では、紙パック容器の注ぎ口の内面紙を上方に延長し、延長した部分を下方に折り返して二重構造に形成し、その折り返し部分に隙間を設けて、注ぎ口を開封するときに、その隙間に指を挿入して引っ張ることにより注ぎ口が開封するようにしているが、折り返した二重構造部分の折り返し幅が十分に取れず、その隙間の上下幅が小さいため、十分に指を挿入することができなかった。このような欠点が残るため、前記紙パック容器はいずれも実用化されていない。
【先行技術文献】
【特許文献１】特開２００２−２６４９３７号公報
【特許文献２】特開２００３−１１２７２７号公報
【特許文献３】特開２００２−３２６６２６号公報
【特許文献４】特開平１１−７０９３５号公報
【発明の概要】
【発明が解決しようとする課題】
【０００６】  従来の、約５００ミクロンの厚さの紙により形成された、紙パック容器の注ぎ口を開封するとき、紙の強度が不足し、指で開こうとする力に負けて折れ曲がったり破れたりする欠点があった。
本発明は、上述のような問題点に鑑みてなされたもので、容易に開けることができるとともに注ぎ口を損傷なく開封できる紙パック容器を提供することを目的とする。
【課題を解決するための手段】
【０００７】  上記課題を解決するために、本発明の請求項１の紙パック容器は、正四角筒状の容器本体の四辺上端部のうち相対向する第１の二辺を内方へそれぞれく字形に折り込むと共に、残りの相対向する第２の二辺をそれぞれ内方へ屋根型に折り曲げて上部開口部を形成し、前記第１および第２の各辺の上端部内面を相互に接着した封止部を設けてなる紙パック容器において、前記上部開口部における第２の二辺の上端部を延長して補強辺を設け、この補強辺を外側に折り返して前記封止部に重ねて接着し、封止部と補強辺が二重になるように強化したことを特徴とする。
本発明は、上記のように構成したことにより、紙パック容器を開封するために、注ぎ口を手前に引き出すときに、封止部の接着が剥がされ、封止部と補強辺が二重になって強化されているので、折れ曲がったり破れたりすることなく、注ぎ口をきれいに開くことができる。
また、本発明の紙パック容器は、上部開口部における第２の二辺の上端部を延長して補強辺を設けているので、材料の紙材をわずかに増やすだけで済み、材料コストの増加が少なくて済む。【０００８】  本発明の請求項２の紙パック容器は、正四角筒状の容器本体の四辺上端部のうち相対向する第１の二辺を内方へそれぞれく字形に折り込むと共に、残りの相対向する第２の二辺をそれぞれ内方へ屋根型に折り曲げて上部開口部を形成し、前記第１および第２の各辺の上端部内面を相互に接着した封止部を設けてなる紙パック容器において、該紙パック容器と同じ材質の紙材で前記封止部とほぼ同じ大きさの補強辺を、封止部の外側に重ねて接着し、封止部と補強辺が二重になるように強化したことを特徴とする。
本発明は、上記のように構成したことにより、紙パック容器を開封するために、注ぎ口を手前に引き出すときに、封止部の接着が剥がされ、封止部と補強辺が二重になって強化されているので、折れ曲がったり破れたりすることなく、注ぎ口をきれいに開くことができる。
また、本発明の紙パック容器は、該紙パック容器と同じ材質の紙で前記封止部とほぼ同じ大きさの補強辺を、封止部の外側に重ねて接着しているので、紙パック容器と同じ材質の紙材を、わずかに多く使うだけで済み、材料コストの増加が少なくて済む。【０００９】  本発明の請求項３の紙パック容器は、請求項１又は請求項２に記載の紙パック容器において、封止部の横方向中央位置に縦に折り曲げ罫線を施すとともに、補強辺の横方向中央位置に縦に折り曲げ罫線を施したことを特徴とする。
本発明は、上記のように構成したことにより、紙パック容器を開封するために、注ぎ口を手前に引き出すときに、二重になった封止部と補強辺の同じ横方向中央位置に折り曲げ罫線を設けたことにより、その折曲げ罫線の位置で封止部と補強辺が同時に折り曲がって、注ぎ口の手前方向への引き出しが円滑におこなわれ、折り曲げ罫線以外の部分が折れ曲がったり破れたりすることなく、注ぎ口をきれいに開くことができる。
【発明の効果】
【００１０】  本発明によれは、紙パック容器を開封するとき、注ぎ口が折れ曲がったり破れたりすることなく、注ぎ口をきれいに開くことができる。
また、紙パック容器と同じ材質の紙を、わずかに多く使うだけで済み、材料コストの増加が少なくて済むという効果が得られる
【図面の簡単な説明】
【図１】本発明の紙パック容器の注ぎ口の構造を示す説明図（Ａ〜Ｃ）
【図２】本発明の紙パック容器の展開図
【図３】本発明の紙パック容器の注ぎ口の開封方法を示す説明図（Ａ〜Ｃ）
【図４】市販の紙パック容器の注ぎ口の開封方法を示す説明図（Ａ〜Ｃ）
【発明を実施するための形態】
【００１１】  本発明の実施の形態を、図を用いて説明する。図１Ａ〜Ｃは本発明の紙パック容器の注ぎ口の構造を示す説明図である。また、図２は本発明の紙パック容器の展開図である。本発明は、紙パック容器の封止部分（開口部）の改良に関するものであるので、主に封止部分（開口部）に関して説明することとし、その他の部分は従来例と変わらないので、説明を省略する。
【００１２】  図１Ａは、注ぎ口２０が封止された紙パック容器本体１０を、注ぎ口２０の正面左上方から見た状態を示す斜視図である。図１Ｂは、注ぎ口２０を正面から見た図であって、後述する補強辺１２ｃ，１２ｃを図中の矢線で示すように折り曲げて接着部位１２ａ，１２ａに接着する前の状態を説明するための概念図である。図１Ｃは、注ぎ口２０を正面から見た図であって、後述する補強辺１２ｃ，１２ｃを折り曲げて接着部位１２ａ，１２ａに接着した状態を示している。
【００１３】  この紙パック容器は、底辺が正方形をなす正四角筒状の胴体部１０の四辺上端部のうち相対向する第１の二辺１１，１１をそれぞれ内方へくの字形に折りたたむとともに、残りの相対向する二辺１２，１２をそれぞれ内方へ屋根形に折り曲げてその上部に開口部２０を形成している。  この紙パック容器の製造工程で、開口部２０は、相対向する第１の二辺１１，１１をそれぞれ内方へくの字形に折りたたむときに、第１の辺１１，１１の上端の接着部位１１ａ，１１ａが、その中央部の折り曲げ罫線１１ｂ，１１ｂで折り曲げられるとともに、第２の辺１２，１２の上端の接着部位１２ａ、１２ａの内側に折り込まれ、第１の辺の上端の接着部位１１ａ，１１ａと第２の辺の上端の接着部位１２ａ、１２ａが互いに相接する部位が接着されて封止部１３が形成され、さらにその接着部位１２ａ、１２ａの外側に第２の辺（の上端の接着部位１２ａ、１２ａ）を延長した補強辺１２ｃ，１２ｃを折り曲げて、それぞれの折り重なった面を接着することにより、容器を密封している。なお、接着方法には、接着剤による接着や熱融着が用いられる。
【００１４】  上記の図１Ａ〜Ｃに示した本発明の紙パック容器を、容器として組み立てる前の紙材料の段階で展開した状態を示すのが、図２の紙パック容器の展開図である。この開口部２０は、前記の一方の相対向する第１の二辺１１，１１のそれぞれの上端に接着部位１１ａ，１１ａを有し、他方の相対向する第２の二辺１２，１２のそれぞれの上端に接着部位１２ａ，１２ａを有し、その接着部位１２ａ，１２ａの上方に延長され接着部位１２ａ，１２ａとほぼ同じ大きさの補強辺１２ｃ，１２ｃが形成されている。そして、接着部位１２ａ，１２ａと補強辺１２ｃ，１２ｃの境目部分に第２の辺の接着部位と補強辺の境目の折り曲げ罫線１２ｄ，１２ｄが施されている。さらに、接着部位１２ａ，１２ａの横方向中央位置に縦に折り曲げ罫線１２ｂ，１２ｂを施すとともに、その折り曲げ罫線１２ｂ，１２ｂを上方に延長する形態で、補強辺１２ｃ，１２ｃの横方向中央位置に縦に折り曲げ罫線１２ｅ，１２ｅを施している。
【００１５】  なお、図１Ｂは、補強辺１２ｃ，１２ｃを折り曲げて接着部位１２ａ，１２ａに接着する前の状態を概念として示したもので、必ずしも図１Ａのように紙パック容器１０の開口部２０が三角屋根状に形成された後の工程で図中の矢線のように折り曲げ加工する必要はなく、通常は紙パック容器１０の開口部２０を三角屋根状に組み立てる途中の工程で、折り曲げ・接着加工される。
また、折り曲げ罫線とは、紙パック容器を組み立て、また、開封するときに、その罫線に沿って折り曲げられるように、図２の展開図のように紙材料を加工する過程で、折り曲げやすいように線状にプレス加工して折り曲げやすくした部分のことである。
【００１６】  図１及び図２に示すように、本発明は、従来の紙パック容器の胴体部の四辺上端部の相対向する第２の二辺の上端部分の接着部位１２ａ，１２ａからさらに上方に延長させた補強辺１２ｃ，１２ｃを有するものである。この延長部分１２ｃ，１２ｃは、当然第２の二辺の上端部分の接着部位１２ａ，１２ａと同一の紙材料で一体に形成されるものであるが、補強辺１２ｃ，１２ｃの部分を、これと同じ形状でかつほぼ同じ折り曲げ強度を有する他の材料を用いて製造し、これを接着部位１２ａ，１２ａに外側から接着して固定してもよい。
【００１７】  図３Ａ〜Ｃは、本発明の紙パック容器の注ぎ口の開封方法を示す説明図である。また、図４Ａ〜Ｃは、市販の紙パック容器の注ぎ口の開封方法を示す説明図である。図４Ａ〜Ｃの各図は、市販の紙パック容器の注ぎ口の開封部に印刷されているものの一例であり、製造メーカーによって多少異なるが、各社ともほぼ同じ絵柄のものが印刷されている。
本発明の紙パック容器の注ぎ口の開封方法は、図４Ａ〜Ｃに示した従来より市販されている紙パック容器の開封方法と全く同じである。従って、本発明の紙パック容器を商品化する際は、図４Ａ〜Ｃに示したような従来の紙パック容器の開封方法の説明図を印刷することが好ましい。
図３及び図４においても、図１及び図２で説明した本発明の紙パック容器の各部と同じ符号を付してあり、図３の各図Ａ〜Ｃは、図４の各図Ａ〜Ｃにそれぞれ対応させている。
【００１８】  本発明の紙パック容器の注ぎ口を開封するときは、図３Ａ及び図４Ａに示すように、「注ぎ口（あけぐち）」を手前にして、両手で開口部２０の上端を左右に広げ、注ぎ口を開きます。図３Ｂ及び図４Ｂに示すように、注ぎ口が十分に開くと接着していた接着部位１２ａと１１ａが正面側に開いて露出します。次に、図４Ｃに示すように一方の手の親指と人差指で左右に開いた注ぎ口の上端部の両端を挟んで手前に引けば、接着部位１２ａと１１ａの接着が剥がれ、開口部２０の上端の手前側半分が開封され、牛乳やジュースなどの中身を出すことができるようになる。このとき、他方の手で紙パック本体を動かないように押さえて、上記開封作業を容易にすることは、従来行われていることと同じである。
【００１９】  この図３Ａ〜Ｃ及び図４Ａ〜Ｃに示す注ぎ口の開封作業をするときに、補強辺１２Ｃ，１２Ｃのない従来の紙パック容器では、図４Ａの両手で開口部２０の上端を左右に広げる過程で、開口部２０の上端が折り曲げ罫線以外の部分で折れ曲がったり破れたりすることがあったが、本発明の紙パック容器では、その部分に重ねて補強辺１２ｃ，１２ｃを接着して強化しているので、そのような欠点が解消される。
また、図４Ｃの手の親指と人差指で左右に開いた注ぎ口の上端部の両端を挟んで手前に引いて、開口部２０の上端の手前側半分を開封するときも、補強辺１２ｃ，１２ｃのない従来の紙パック容器では、開口部２０の上端部の強度が不足して、折り曲げ罫線以外の部分で折れ曲がったり破れたりすることがあったが、本発明の紙パック容器では、その部分に重ねて補強辺１２ｃ，１２ｃを接着して強化しているので、そのような欠点が解消される。
【符号の説明】
【００２０】１０    紙パック容器本体（胴体部）
１１，１１  第１の辺
１１ａ，１１ａ  第１の辺の上端の接着部位
１１ｂ，１１ｂ  第１の辺の接着部位の中央部の折り曲げ罫線
１２，１２  第２の辺
１２ａ，１２ａ  第２の辺の上端の接着部位
１２ｂ，１２ｂ  第２の辺の接着部位の中央部の折り曲げ罫線
１２ｃ，１２ｃ  第２の辺を延長した補強辺
１２ｄ，１２ｄ  第２の辺の接着部位と補強辺の境目の折り曲げ罫線
１２ｅ，１２ｅ  第２の辺の補強辺の中央部の折り曲げ罫線
１３    封止部（第１の辺の上端と第２の辺の上端の各内面を接着した部位）
２０    開口部（注ぎ口）
【図１】
2017019558.tif 000003
【図２】
2017019558.tif 000004
【図３】
2017019558.tif 000005
【図４】
2017019558.tif 000006